(57)【要約】【課題】いわゆる釘曲げゴト行為を容易且つ確実に発見できる弾球遊技機を提供する。【解決手段】多数の遊技釘のうち、所定の入賞口への遊技球の入賞に最も影響が大きい特定遊技釘４７ａについてその所定部位、例えば頭部近傍の位置データを測定する位置測定センサ９７を設け、ガラス扉等が開状態から閉状態に変化した場合に、その特定遊技釘４７ａに関する位置データの基準値としての基準釘姿勢データを更新し（Ｓ４，Ｓ５）、ガラス扉等が閉じている間、所定時間間隔で位置測定センサ９７により特定遊技釘４７ａの位置データを取得して基準釘姿勢データと比較し（Ｓ６，Ｓ７）、それらの差が許容範囲内にない場合に異常と判定する（Ｓ８，Ｓ９）ように構成したものである。【選択図】図１０
2008220466.tif 000002
【特許請求の範囲】
【請求項１】
遊技機本体（１）内に設けられ且つ前側の遊技領域（１３）内に入賞口（４４ａ）（４４ｂ）（８２）（８３）及び遊技釘（４７）が配置された遊技盤（１１）と、前記遊技機本体（１）の前側に開閉可能に設けられた開閉扉（３）（１５）とを備えた弾球遊技機において、遊技釘（４７）のうちの特定遊技釘（４７ａ）についてその姿勢を示す釘姿勢データを測定する釘姿勢データ測定手段（９７）と、前記釘姿勢データの基準値としての基準釘姿勢データと前記釘姿勢データ測定手段（９７）により測定された釘姿勢データとを比較し、それらの差が所定の許容範囲内にない場合に異常と判定する異常判定手段（１１３）とを備えたことを特徴とする弾球遊技機。
【請求項２】
前記開閉扉（３）（１５）の開閉状態を検出する扉開閉検出手段（２９）と、前記開閉扉（３）（１５）が開状態から閉状態に変化したことが前記扉開閉検出手段（２９）により検出されることに基づいて、前記釘姿勢データ測定手段（９７）により測定された釘姿勢データにより前記基準釘姿勢データを更新する基準釘姿勢データ更新手段（１１１）とを備えたことを特徴とする請求項１に記載の弾球遊技機。
【請求項３】
前記遊技機本体（１）は、矩形状の外枠（２）と、該外枠（２）に対して開閉自在に枢支され且つ前記遊技盤（１１）が装着された前枠（３）と、前記遊技領域（１３）の前側に対応する透明窓（１４）を備え且つ前記前枠（３）に開閉自在に枢支された前扉（１５）とを備え、前記扉開閉検出手段（２９）は、前記前枠（３）と前記前扉（１５）との少なくとも一方が開放したときに扉開状態を検出し、前記前枠（３）と前記前扉（１５）との両方が閉じたときに扉閉状態を検出するように構成されていることを特徴とする請求項２に記載の弾球遊技機。
【請求項４】
電源投入後の所定のタイミングで、前記釘姿勢データ測定手段（９７）により測定された釘姿勢データを前記基準釘姿勢データに設定する基準釘姿勢データ設定手段（１１１）を備えたことを特徴とする請求項１〜３の何れかに記載の弾球遊技機。
【請求項５】
前記異常判定手段（１１３）は、前記開閉扉（３）（１５）の閉状態中に所定のタイミングで前記異常判定を行うように構成されていることを特徴とする請求項１〜４の何れかに記載の弾球遊技機。
【請求項６】
前記異常判定手段（１１３）は、前記開閉扉（３）（１５）の閉状態中に、前記釘姿勢データ測定手段（９７）から釘姿勢データを取得して前記基準釘姿勢データと比較する処理を所定時間間隔で繰り返し、前記釘姿勢データと前記基準釘姿勢データとの差が前記許容範囲内にない状態が所定回数連続した場合に異常と判定するように構成されていることを特徴とする請求項１〜５の何れかに記載の弾球遊技機。
【請求項７】
前記釘姿勢データ測定手段（９７）は、前記特定遊技釘（４７ａ）上の所定部位の位置を検出する位置測定センサにより構成されていることを特徴とする請求項１〜６の何れかに記載の弾球遊技機。
【発明の詳細な説明】
【技術分野】
【０００１】
本発明は、パチンコ機等の弾球遊技機に関するものである。
【背景技術】
【０００２】
例えばパチンコ機では、発射手段から発射された遊技球がガイドレールを経て遊技領域へと案内され、その遊技球が、遊技領域内に複数配置されている入賞口の何れかに入賞したときに、その入賞口に応じて所定数の遊技球を賞球として払い出すように構成されている。
【０００３】
この種のパチンコ機では、外枠の前側に開閉可能に枢支された前枠に遊技盤が装着され、またその前枠の前側に、遊技盤の遊技領域に対応するガラス窓を備えたガラス扉、遊技球の貯留皿を備えた前面開閉板等が開閉自在に枢着されている。
【０００４】
ところで、この種のパチンコ機に対するゴト行為として、例えばガラス扉と前枠との隙間などからピアノ線等を挿入し、遊技球が入賞しやすいように遊技釘を曲げるなどして不正に球を搾取するといった行為が問題となっている。
【０００５】
このようなゴト行為に対しては、ガラス扉と前枠との隙間を塞いでピアノ線等の進入経路を絶つ等のハード面での対策（特許文献１参照）が進められてきた他、遊技ホール側はベース値をこまめにチェックしたり、店員の見回りを強化する等の方法で対処してきた。
【特許文献１】特開２００４−２７５２５７号公報
【発明の開示】
【発明が解決しようとする課題】
【０００６】
しかしながら、このような従来のゴト対策では、遊技ホール側の負担が大きいわりにその効果は必ずしも十分ではなく、例えば店員の目を盗んでドリルでガラス扉等に穴を空けて遊技釘を曲げる等の大胆な不正行為が行われたとの報告もある。
【０００７】
本発明は、このような従来の問題点に鑑み、いわゆる釘曲げゴト行為を容易且つ確実に発見できる弾球遊技機を提供することを目的とする。
【課題を解決するための手段】
【０００８】
本発明は、遊技機本体１内に設けられ且つ前側の遊技領域１３内に入賞口４４ａ，４４ｂ，８２，８３及び遊技釘４７が配置された遊技盤１１と、前記遊技機本体１の前側に開閉可能に設けられた開閉扉３，１５とを備えた弾球遊技機において、遊技釘４７のうちの特定遊技釘４７ａについてその姿勢を示す釘姿勢データを測定する釘姿勢データ測定手段９７と、前記釘姿勢データの基準値としての基準釘姿勢データと前記釘姿勢データ測定手段９７により測定された釘姿勢データとを比較し、それらの差が所定の許容範囲内にない場合に異常と判定する異常判定手段１１３とを備えたものである。
【発明の効果】
【０００９】
本発明によれば、例えば店員の目を盗んでドリルでガラス扉１５等に穴を空けるなどして不正に特定遊技釘４７ａが曲げられた場合でもその不正行為を容易且つ確実に発見することができる。
【発明を実施するための最良の形態】
【００１０】
以下、本発明の実施形態を図面に基づいて詳述する。図１〜図１０は本発明をパチンコ機に採用した第１の実施形態を例示している。図１〜図３において、遊技機本体１は、矩形状の外枠２と、この外枠２の前側に開閉自在に枢着された前枠３とを備えている。外枠２は、左右一対の縦枠材４と、それらの上下両端を左右に連結する上下一対の横枠材５とを備えている。
【００１１】
前枠３は矩形状で、左右一端側に設けられた上下方向のヒンジ６により外枠２に枢支され、他端側に設けられた施錠手段により外枠２に対して閉状態で施錠されるようになっている。また、図２に示すように、前枠３には遊技盤装着部１０が形成され、その遊技盤装着部１０に前側から遊技盤１１が着脱自在に嵌合し装着されている。
【００１２】
前枠３の前側には、遊技盤１１の遊技領域１３を透視可能なガラス窓（透明窓）１４を備えたガラス扉（前扉）１５と、このガラス扉１５の下側に配置された下部扉１６とが前枠３用のヒンジ６と同一側のヒンジ１７により開閉自在に枢支されている。
【００１３】
図３に示すように、ガラス扉１５は、ガラス窓１４の窓孔を有する扉枠１９と、この扉枠１９に裏側から着脱自在に装着されたガラスユニット２０とを備えている。扉枠１９は、枠板２１と、この枠板２１の前面に装着された化粧カバー２２と、枠板２１の裏側に装着された板金製の補強板２３とを有する。ガラスユニット２０は前後２枚のガラス板２４と、この２枚のガラス板２４を外周で保持する保持枠２５とを有する。
【００１４】
下部扉１６は前枠３の下部に配置された発射手段等を前側から覆うもので、発射用の遊技球を貯留する供給皿２６、発射手段を作動させる発射ハンドル２７等が前側に設けられている。なお、ガラス扉１５、下部扉１６は、ヒンジ１７と反対側に設けられた施錠手段により前枠３に対して閉状態で施錠されている。
【００１５】
外枠２、前枠３、ガラス扉１５は、ヒンジ６，１７を支点として前後方向（遠近方向）に相対移動自在であり、これらの上部側には、前枠３とガラス扉１５との少なくとも一方が開状態にあるか、両方が閉状態にあるかを１個の検出スイッチ２８により検出可能な扉開閉検出手段２９が設けられている。
【００１６】
この扉開閉検出手段２９は、図４及び図５に示すように、前枠３の上端部に左右一対の案内手段３１を介して前側の付勢位置Ａ（図５（ｂ））と後側の押圧位置Ｂ（図５（ａ），（ｃ））との間で前後方向移動自在に設けられた支持台３２と、この支持台３２に着脱自在に固定された検出スイッチ２８と、各案内手段３１側に設けられ且つ支持台３２を付勢位置Ａ側に向けて付勢する圧縮バネ等よりなる付勢手段３３と、ガラス扉１５に設けられ且つガラス扉１５を前枠３側に閉じたときに支持台３２を付勢手段３３に抗して押圧位置Ｂ側へと押圧する例えば突起状の押圧部３４とを備えている。
【００１７】
支持台３２は、例えば箱形のスイッチケース３５と、このスイッチケース３５の左右両側に突設され且つ前後方向のガイド孔３６が形成された一対のガイド部３７とを備え、スイッチケース３５の後端側が前枠３側の開口部３ａに前側から嵌合し、そのスイッチケース３５の後側に検出スイッチ２８が固定されている。
【００１８】
案内手段３１は、前枠３の上端部に例えば前向き突出状に設けられ、付勢手段３３が装着されており、更にその付勢手段３３の前側に支持台３２側のガイド孔３６が前後方向摺動自在に嵌合している。
【００１９】
検出スイッチ２８は、外枠２を感知するための接触式の感知子３８を、スイッチケース３５から後ろ向きに突出させた状態で備えており、この感知子３８は前枠３を開いた状態（図５（ｃ））では外枠２を感知せず、前枠３を閉じた場合でも、支持台３２が付勢位置Ａにあるとき、即ちガラス扉１５が開いた状態（図５（ｂ））では外枠２を感知せず、支持台３２が押圧位置Ｂにあるとき、即ちガラス扉１５が閉じて押圧部３４が付勢手段３３に抗して支持台３２を後ろ向きに押圧した状態（図５（ａ））で外枠２を感知するように構成されている。
【００２０】
なお、検出スイッチ２８は、例えば感知子３８が外枠２を感知しないとき、即ちガラス扉１５と前枠３との少なくとも一方が開状態にある「扉開状態」のとき（図５（ｂ），  （ｃ））にＯＮ信号を出力し、感知子３８が外枠２を感知しているとき、即ちガラス扉１５と前枠３とが共に閉状態にある「扉閉状態」のとき（図５（ａ））にＯＦＦとなるように構成されている。
【００２１】
遊技盤１１の前面側には、図２に示すように、発射手段により発射された遊技球を案内するガイドレール４１が環状に装着されると共に、そのガイドレール４１の内側の遊技領域１３に、センターケース４２、普通図柄始動ユニット４３、特別図柄始動ユニット４４、下部第１入賞ユニット４５、下部第２入賞ユニット４６等の各種遊技部品の他、多数の遊技釘４７が配置されている。
【００２２】
センターケース４２は、遊技領域１３の略中央に配置されており、図２等に示すように、例えば遊技盤１１の裏側に装着された液晶表示ユニット５１用の表示窓５２を構成する表示枠体５３と、この表示枠体５３の下部側に配置されるステージ手段５４と、表示枠体５３に設けられ且つステージ手段５４に遊技球を誘導する球誘導手段５５等を備えている。
【００２３】
表示枠体５３は、液晶表示ユニット５１の左右の側縁部に沿って上下方向に配置される左枠部６１及び右枠部６２と、液晶表示ユニット５１の上縁部側で左枠部６１と右枠部６２の上端側を左右に接続する上枠部６３と、液晶表示ユニット５１の下縁部側で左枠部６１と右枠部６２の下端側を左右に接続する下枠部６４とを例えば一体に備えている。
【００２４】
上枠部６３は、例えばその右上部に普通図柄表示手段６５、特別図柄表示手段６６等を含む装飾部材６７を備えると共に、上縁側は遊技球を左右何れかに流下させるように、右側は右下がりの、左側は左下がりの傾斜状に形成されている。
【００２５】
普通図柄表示手段６５は、普通図柄を変動表示するためのもので、例えば「○」「×」の２種類の普通図柄に対応する２個の発光体（例えばＬＥＤ）により構成されており、普通図柄始動ユニット４３の通過ゲート４３ａが遊技球を検出することを条件にそれら２つの発光体が所定時間交互に点滅して、当たり態様に対応する「○」と外れ態様に対応する「×」との何れかの発光体が発光した状態で点滅が終了するようになっている。
【００２６】
特別図柄表示手段６６は、１個又は複数個、例えば２個の特別図柄を変動表示可能な７セグメント式等の表示手段により構成されており、特別図柄始動ユニット４４の始動入賞口４４ａ，４４ｂに遊技球が入賞することを条件に特別図柄を所定時間変動表示して、所定の大当たり態様と外れ態様との何れかで停止するようになっている。
【００２７】
ステージ手段５４は、下枠部６４の上縁側に沿って左右方向に配置された下ステージ７１と、その下ステージ７１の上側で且つ左枠部６１と右枠部６２との間に左右方向に配置された上ステージ７２と、上ステージ７２の前側で且つ上ステージ７２と下ステージ７１との上下方向中間位置に配置された前ステージ７３とを備え、球誘導手段５５により誘導された遊技球を左右に転動させつつ上ステージ７２、前ステージ７３、下ステージ７１へと順次誘導し、下ステージ７１の左右方向中央に設けられた第１落下部７４、又はその左右に設けられた第２落下部７５から前側に落下させるように構成されている。
【００２８】
球誘導手段５５は、例えば左枠部６１の上部側に配置され且つ遊技盤１１の前面側に沿って斜め上向きに開口する入球口７６と、この入球口７６に入球した遊技球を左枠部６１に沿って上ステージ７２上に誘導する誘導通路部７７とで構成されている。
【００２９】
普通図柄始動ユニット４３は、例えばセンターケース４２の左側で且つ入球口７６よりも下側に配置されており、遊技球を下向きに通過させる通過ゲート４３ａを備えている。
【００３０】
特別図柄始動ユニット４４は、例えば上下２つの始動入賞口４４ａ，４４ｂと、下始動入賞口４４ｂを開閉する開閉手段７９とを備え、センターケース４２の下側に配置されている。下始動入賞口４４ｂは、開閉手段７９により遊技球が入賞可能な開状態と入賞不可能な閉状態とに切り換え可能な作動式入賞口で、普通図柄表示手段６５の変動後の停止図柄が当たり態様となったときに開閉手段７９が閉状態から開状態に変化して所定時間維持されるように構成されている。
【００３１】
下部第１入賞ユニット４５は、その前面側の装着板８０を遊技盤１１の前面側に沿わせた状態で例えば特別図柄始動ユニット４４の下側に配置されており、左右方向中央に大入賞手段８１が、この大入賞手段８１の左右両側に普通入賞口８２が夫々設けられている。
【００３２】
大入賞手段８１は、装着板８０に形成された左右方向に長い矩形開口状の大入賞口８３と、大入賞口８３を開閉する開閉手段８４とを備えている。開閉手段８４は、例えば大入賞口８３の下部側の横軸廻りに揺動自在に設けられており、特別図柄表示手段６６の変動後の特別図柄が大当たり態様となることに基づいて特別利益状態が発生したときに前側に所定時間開放して、その上に落下した遊技球を大入賞口８３内へと入賞させるように構成されている。
【００３３】
普通入賞口８２は、例えば装着板８０の前側に突設されており、入賞した遊技球を遊技盤１１の裏側へと案内するように構成されている。
【００３４】
下部第２入賞ユニット４６は、その前面側の装着板９０を遊技盤１１の前面側に沿わせた状態で例えば下部第１入賞ユニット４５の左右両側に対称に配置されており、左右方向の一端側、例えば下部第１入賞ユニット４５側に普通入賞口９１が、他端側に装飾案内部９２が夫々設けられている。
【００３５】
普通入賞口９１は、例えば装着板９０の前側に突設されており、入賞した遊技球を遊技盤１１の裏側へと案内するように構成されている。
【００３６】
装飾案内部９２は、例えば普通入賞口９１との間に遊技球が通過可能な隙間をおいて装着板９０の前側に突設されており、図６〜図８に示すように、装着板９０の前面側の所定領域を取り囲むように装着板９０の前側に立設される周壁部９３と、その周壁部９３の前側を略覆う前壁部９４とを備え、例えばその内側には後側から基板９５が装着されている。基板９５には、その前側にＬＥＤ等の発光手段９６と位置測定センサ（釘姿勢データ測定手段）９７とが装着されている。
【００３７】
周壁部９３は、例えば上周壁部９３ａ、内周壁部９３ｂ、外周壁部９３ｃにより正面視略三角形状に形成されている。上周壁部９３ａは、例えばガイドレール４１の近傍から遊技領域１３の内側に向けて傾斜状に配置されており、その上側に落下してきた遊技球を例えば普通入賞口９１側に案内するようになっている。
【００３８】
内周壁部９３ｂは、例えば上周壁部９３ａの内側端部から普通入賞口９１の側方を経てガイドレール４１の近傍まで下向きに配置されており、当該装飾案内部９２と普通入賞口９１との間を通過する遊技球を下向きに案内するようになっている。
【００３９】
また、内周壁部９３ｂには、位置測定センサ９７のセンサ面９７ａに対応して開口孔９８が形成されている。位置測定センサ９７は、例えばレーザを使用した反射型センサで、センサ面９７ａに、半導体レーザからの光を測定対象物に向けて放出する投光部９９と、測定対象物により反射された光線を入射させて光位置測定素子上にスポットを結ばせるための受光部１００とが設けられており、光位置測定素子によりそのスポット位置を検出することにより測定対象物の位置データを取得するように構成されている。
【００４０】
本実施形態では、普通入賞口９１の近傍に配置されている遊技釘４７のうち、遊技球が普通入賞口９１に入賞するか否かについて最も影響が大きいと考えられる特定遊技釘４７ａを位置測定センサ９７の測定対象物としている。また、位置測定センサ９７は、特定遊技釘４７ａ上のなるべく先端側の所定部位、例えば特定遊技釘４７ａの頭部又はその近傍が測定対象部位となるように配置されている。即ち、本実施形態では、特定の遊技釘の姿勢を示す釘姿勢データとして、位置測定センサ９７により測定される特定遊技釘４７ａにおける先端側所定部位の位置データ（以下、単に特定遊技釘４７ａの位置データという）を用いている。
【００４１】
続いて、本パチンコ機の制御系のうち、釘曲げゴト等による異常を監視するための構成について説明する。
【００４２】
本実施形態の主制御基板１０１には、図９に示すように、各入賞口への遊技球の入賞に関する処理を行う入賞処理手段１０２、普通図柄、特別図柄等の図柄変動に関する処理を行う図柄処理手段１０３、下始動入賞口４４ｂ、大入賞口８３の開閉動作等に関する処理を行う役物処理手段１０４等の他、不正による異常を監視する不正監視手段１０５が設けられている。
【００４３】
不正監視手段１０５は、釘曲げゴト等の不正行為を監視するためのもので、基準釘姿勢データ設定・更新手段１１１、基準釘姿勢データ記憶手段１１２、異常判定手段１１３、異常報知制御手段１１４等を備え、例えば定期割込毎に図１０に示すような不正監視処理を実行するように構成されている。
【００４４】
基準釘姿勢データ設定・更新手段（基準釘姿勢データ設定手段、基準釘姿勢データ更新手段）１１１は、特定遊技釘４７ａの姿勢を示す釘姿勢データを基準釘姿勢データ記憶手段１１２上に設定し、更新するもので、例えば電源投入直後の所定のタイミングで、位置測定センサ９７により測定された特定遊技釘４７ａの位置データを基準釘姿勢データ記憶手段１１２上に基準釘姿勢データとして設定し、また不正監視処理においては、扉開閉検出手段２９により「扉開状態」から「扉閉状態」への移行が検出されたことを条件に、位置測定センサ９７により測定された特定遊技釘４７ａの位置データにより基準釘姿勢データ記憶手段１１２上の基準釘姿勢データを更新するように構成されている。
【００４５】
異常判定手段１１３は、遊技釘に関する異常を判定するためのもので、不正監視処理において、「扉閉状態」中であることを条件に、基準釘姿勢データ記憶手段１１２に記憶されている基準釘姿勢データと、その時点で位置測定センサ９７により測定された特定遊技釘４７ａの位置データとを比較して、それらの差が所定の許容範囲を超えている場合に異常と判定するように構成されている。
【００４６】
異常報知制御手段１１４は、所定の異常報知手段により異常を報知するためのもので、異常判定手段１１３により異常と判定されることを条件に作動するように構成されている。異常報知手段としては、ランプ１１５、音声出力手段１１６等の他、外部出力端子１１７を介して接続されるホールコンピュータ等、どのようなものでもよい。
【００４７】
続いて、不正監視手段１０５によって定期割込毎に実行される不正監視処理（図１０）について更に具体的に説明する。
【００４８】
不正監視処理（図１０）においては、まず扉開閉検出手段２９からの検出信号に基づいて、前回処理時と今回処理時における開閉扉（ガラス扉１５及び前枠３）の状態変化を判定する（Ｓ１）。そして、その状態変化に基づいて夫々次のような処理を行う。
【００４９】
即ち、前回処理時から今回処理時にかけて「扉閉状態」から「扉開状態」に変化した場合には、例えば演出制御基板等にドア開放コマンドが出力され（Ｓ２）、「扉開状態」のまま維持されている場合には、例えば外部出力端子１１７にドア開放中信号が出力される（Ｓ３）。
【００５０】
また、「扉開状態」から「扉閉状態」に変化した場合には、基準釘姿勢データ設定・更新手段１１１により位置測定センサ９７から特定遊技釘４７ａの位置データが取得され  （Ｓ４）、その取得された位置データにより基準釘姿勢データ記憶手段１１２上の基準釘姿勢データが更新される（Ｓ５）。例えば、ガラス扉１５を開いて釘調整が行われたような場合には、その後にガラス扉１５が閉じられた段階で、その釘調整後の位置データにより基準釘姿勢データが更新される。
【００５１】
また、前回処理時から「扉閉状態」が維持されている場合には、異常判定手段１１３により位置測定センサ９７から特定遊技釘４７ａの位置データが取得され（Ｓ６）、その取得された位置データが基準釘姿勢データ記憶手段１１２上の基準釘姿勢データと比較される（Ｓ７）。そして、それらの差が所定の許容範囲内でない場合に異常であると判定され（Ｓ８：Ｎｏ）、異常報知制御手段１１４の制御により異常報知処理が行われる（Ｓ９）。
【００５２】
従って、ガラス扉１５や前枠３を開放することなく、ガラス扉１５と前枠３との隙間などからピアノ線等を挿入して特定遊技釘４７ａが曲げられた場合には、その釘曲げ後の位置データは基準釘姿勢データ記憶手段１１２上の基準釘姿勢データとは異なっているため、異常と判定される。
【００５３】
なお、遊技釘４７は遊技球の衝突によって僅かな弾性変形が繰り返されていると考えられるため、取得された位置データと基準釘姿勢データとの差の許容範囲は、遊技球の衝突等による遊技釘４７の弾性変形等を考慮して適当な範囲に設定すればよい。
【００５４】
以上説明したように、本発明のパチンコ機は、遊技釘４７のうちの特定遊技釘４７ａについてその位置データを測定する位置測定センサ９７と、前記位置データの基準値としての基準釘姿勢データと位置測定センサ９７により測定された位置データとを比較し、それらの差が所定の許容範囲内にない場合に異常と判定する異常判定手段１１３とを備えているため、例えば店員の目を盗んでドリルでガラス扉１５等に穴を空けるなどして不正に特定遊技釘４７ａが曲げられた場合でもその不正行為を容易且つ確実に発見することができる。
【００５５】
また、開閉扉（前枠３及びガラス扉１５）の開閉状態を検出する扉開閉検出手段２９と、それら開閉扉が開状態から閉状態に変化したことが扉開閉検出手段２９により検出されることに基づいて、位置測定センサ９７により測定された位置データにより基準釘姿勢データを更新する基準釘姿勢データ設定・更新手段１１１とを備えているため、例えばガラス扉１５を開いて釘調整が行われた場合には、その釘調整後の位置データを新たな基準釘姿勢データとして異常判定が行われることとなり、釘調整等による誤判定を防止できる。
【００５６】
前記遊技機本体１は、矩形状の外枠２と、外枠２に対して開閉自在に枢支され且つ遊技盤１１が装着された前枠３と、遊技領域１３の前側に対応する透明窓１４を備え且つ前枠３に開閉自在に枢支されたガラス扉１５とを備え、扉開閉検出手段２９は、前枠３とガラス扉１５との少なくとも一方が開放したときに扉開状態を検出し、前枠３とガラス扉１５との両方が閉じたときに扉閉状態を検出するように構成されているため、１つの検出手段により２つの扉の開閉状態を検出できる。
【００５７】
基準釘姿勢データ設定・更新手段１１１は、電源投入後の所定のタイミングで、位置測定センサ９７により測定された位置データを基準釘姿勢データに設定するように構成されているため、電源投入後の最新の位置データを基準釘姿勢データに設定して誤検出を防止できる。
【００５８】
異常判定手段１１３は、開閉扉（前枠３及びガラス扉１５）の閉状態中に所定時間間隔で異常判定を繰り返し行うように構成されているため、異常の発生を迅速に発見できる。
【００５９】
図１１は本発明の第２の実施形態を例示し、位置測定センサ９７により測定された位置データ（釘姿勢データ）と基準釘姿勢データとの差が許容範囲内にない状態が所定回数連続した場合に異常と判定するように構成した例を示している。
【００６０】
図１１に示す不正監視処理では、前回処理時から「扉閉状態」が維持されている場合に異常判定手段１１３により行われるＳ６〜Ｓ９の処理において、位置測定センサ９７により取得された位置データと基準釘姿勢データ記憶手段１１２上の基準釘姿勢データとの差が所定範囲内でない場合には（Ｓ８：Ｎｏ）、カウント数Ｎ（初期値０）に１が加算され（Ｓ８ａ）、そのカウント数Ｎの値が所定回数Ｎａ以上となった場合に異常であると判定され（Ｓ８ｂ：Ｙｅｓ）、異常報知制御手段１１４の制御により異常報知処理が行われる（Ｓ９）。
【００６１】
なお、カウント数Ｎは、Ｓ８において位置測定センサ９７により取得された位置データと基準釘姿勢データ記憶手段１１２上の基準釘姿勢データとの差が所定範囲内であると判定された場合（Ｓ８ｃ）の他、例えば開閉扉（ガラス扉１５及び前枠３）の状態が「扉閉状態」から「扉開状態」に変化した場合（Ｓ２ａ）に０クリアされる。
【００６２】
以上のように構成することにより、例えば遊技球の通過等により一時的に位置測定センサ９７による位置データ（釘姿勢データ）の値が乱れた場合でも正確に異常判定を行うことが可能である。また、このように位置測定センサ９７を特定遊技釘４７ａに対して遊技球の通過経路を挟んで配置しても正確に異常判定を行うことができるため、位置測定センサ９７の配置の自由度が高くなる利点もある。
【００６３】
以上、本発明の実施形態について詳述したが、本発明はこれらの実施形態に限定されるものではなく、本発明の趣旨を逸脱しない範囲で種々の変更が可能である。例えば、釘姿勢データ測定手段９７は、遊技釘４７の姿勢を示す釘姿勢データを測定できるものであれば位置測定センサ以外のセンサを用いてもよい。例えば、撮像手段を釘姿勢データ測定手段９７とし、特定遊技釘４７ａを撮像した画像を釘姿勢データとしてもよいし、特定遊技釘４７ａの根元近くの歪みを測定する歪みセンサを釘姿勢データ測定手段９７とし、特定遊技釘４７ａの歪み値を釘姿勢データとしてもよい。
【００６４】
釘姿勢データ測定手段９７の測定対象である特定遊技釘４７ａは、その曲がり具合等によって遊技者の利益が左右されるものであればよく、各入賞口４４ａ，４４ｂ，８２，８３の近傍の遊技釘４７の他、例えばステージ手段５４への入球口である入球口７６や、通過ゲート４３ａの近傍の遊技釘４７を特定遊技釘４７ａとしてもよい。また、釘姿勢データ測定手段９７を複数設け、複数の特定遊技釘４７ａに関する釘曲げ行為を同時に監視するようにしてもよい。
【００６５】
釘姿勢データ測定手段９７は、遊技盤１１に直接装着してもよいし、ガラス扉１５等、遊技盤１１側以外の部分に装着してもよい。
【００６６】
実施形態では、前枠３とガラス扉１５との何れか一方が開状態になったときに「扉開状態」を検出するように構成された扉開閉検出手段２９を用いたが、下部扉１６が開状態になったときにも「扉開状態」を検出するように構成してもよい。また、前枠３、ガラス扉１５等の開閉状態を個別に検出する扉開閉検出手段２９を用いてもよい。また、扉開閉検出手段２９は、ガラス扉１５等の１つの開閉扉のみの開閉状態を検出するものであってもよい。
【００６７】
また本発明は、パチンコ機に限らず、アレンジボール機、雀球遊技機等の各種の弾球遊技機においても同様に実施することが可能である。
【図面の簡単な説明】
【００６８】
【図１】本発明の第１の実施形態を示すパチンコ機の全体斜視図である。
【図２】本発明の第１の実施形態を示すパチンコ機の前枠上部の正面図である。
【図３】本発明の第１の実施形態を示すパチンコ機のガラス扉の斜視図である。
【図４】本発明の第１の実施形態を示すパチンコ機の扉開閉検出手段近傍の側面断面図である。
【図５】本発明の第１の実施形態を示すパチンコ機の扉開閉検出手段近傍の平面断面図である。
【図６】本発明の第１の実施形態を示すパチンコ機の釘姿勢データ測定手段近傍の部分斜視図である。
【図７】本発明の第１の実施形態を示すパチンコ機の釘姿勢データ測定手段近傍の部分正面断面図である。
【図８】本発明の第１の実施形態を示すパチンコ機の釘姿勢データ測定手段近傍の部分平面断面図である。
【図９】本発明の第１の実施形態を示すパチンコ機の制御系のブロック図である。
【図１０】本発明の第１の実施形態を示す不正監視処理のフローチャートである。
【図１１】本発明の第２の実施形態を示す不正監視処理のフローチャートである。
【符号の説明】
【００６９】
１    遊技機本体
２    外枠
３    前枠（開閉扉）
１１    遊技盤
１３    遊技領域
１４    ガラス窓（透明扉）
１５    ガラス扉（前扉，開閉扉）
２９    扉開閉検出手段
４４ａ  上始動入賞口（入賞口）
４４ｂ  下始動入賞口（入賞口）
４７    遊技釘
４７ａ  特定遊技釘
８２    普通入賞口（入賞口）
８３    大入賞口（入賞口）
９７    位置測定センサ（釘姿勢データ測定手段）
１１１    基準釘姿勢データ設定・更新手段（基準釘姿勢データ設定／更新手段）
１１３    異常判定手段
【図１】
2008220466.tif 000003
【図２】
2008220466.tif 000004
【図３】
2008220466.tif 000005
【図４】
2008220466.tif 000006
【図５】
2008220466.tif 000007
【図６】
2008220466.tif 000008
【図７】
2008220466.tif 000009
【図８】
2008220466.tif 000010
【図９】
2008220466.tif 000011
【図１０】
2008220466.tif 000012
【図１１】
2008220466.tif 000013